(57)【特許請求の範囲】
【請求項１】
外装を構成する外面シートと、着用者に接する内面シートと、体液を吸収する吸収体と、夫々のシートの一部を収縮させる弾性部材と、着用者の足が貫通する一対のレッグ開口と、を具備するパンツ型おむつであって、
前記吸収体は少なくとも前記一対のレッグ開口の間にその一部が存在するように配置され、且つ、前記パンツ型おむつの前身ごろ及び後身ごろにおいて、ウエスト開口から前記一対のレッグ開口間に向かって延びる接合部を備えていることを特徴とするパンツ型おむつ。
【請求項２】
前記接合部は、前身ごろ及び後身ごろの略中央部において、前記パンツ型おむつの着用方向に伸びている連続した筋状のものであることを特徴とする請求項１に記載のパンツ型おむつ。
【請求項３】
矩形状をしており、前身ごろ側及び後身ごろ側となるそれぞれの辺の略中央部が略Ｖ字状の凹となっている一枚布状のものからなるパンツ型おむつ前駆体であって、
胴周り部分になるプレ胴周り部分と、レッグ開口部分になるプレレッグ開口部分と、股間部分になるプレ股間部分と、を備え、更に以下のようなものを備えるパンツ型おむつ前駆体。
▲１▼  前記プレ胴周り部分は、上方の矩形状の部分及び下方の矩形状の部分として存在しており、該プレ胴周り部分には、弾性部材が伸長した状態で配設される。
▲２▼  前記プレレッグ開口部分は、穴として存在しており、前記パンツ型前駆体の線対称軸を対称軸として、対称な位置に存在する。
▲３▼  前記プレ股間部分は、前記プレ胴周り部分の中間に位置し、前身ごろ側及び後身ごろ側となる両側辺に略Ｖ字状の凹部を有する矩形状の部分として存在している。
【請求項４】
略楕円形状をしており、前身ごろ側及び後身ごろ側となるそれぞれ略中央部が略Ｖ字状の凹となっている一枚布状のものからなるパンツ型おむつ前駆体であって、
胴周り部分になるプレ胴周り部分と、レッグ開口部分になるプレレッグ開口部分と、股間部分になるプレ股間部分と、を備え、更に以下のようなものを備えるパンツ型おむつ前駆体。
▲１▼  前記プレ胴周り部分は、上方の略半円形状の弧の部分と下方の略半円形状の弧の部分として存在しており、該プレ胴周り部分には、弾性部材が伸長した状態で配設される。
▲２▼  前記プレレッグ開口部分は、穴として存在しており、前記パンツ型おむつ前駆体の線対称軸を対称軸として、対称な位置に存在する。
▲３▼  前記プレ股間部分は、前記プレ胴周り部分の中間に位置し、前身ごろ側及び後身ごろ側となる両側辺に略Ｖ字状の凹部を有する矩形状の部分として存在している。
【請求項５】
前記パンツ型おむつは、前記プレ胴周り部分と前記プレ股間部分とを構成する一枚状の前記外面シートと、該外面シートの上面に張設された前記弾性部材と、該外面シート及び弾性部材に複合された該外面シートと略同大同形状の前記内面シートと、該内面シートの上面の略中央域に設けられた前記吸収体と、から構成されたものであって、前記プレ胴周り部分および／または前記股間部分の両側縁部が接合固定されてウエスト開口部が形成されているものであることを特徴とする請求項１から４いずれか記載のパンツ型おむつ。
【請求項６】
前記パンツ型おむつは、前記プレ胴周り部分と前記プレ股間部分とを構成する一枚状の前記外面シートと、該外面シートの上面に張設された前記弾性部材と、該外面シートの上面の略中央域に設けられた前記吸収体と、該外面シートと略同大同形状で略中央域に開口部を有し、該開口部が該吸収体の外周縁を被覆するようにして該外面シート及び弾性部材に複合された前記内面シートと、から構成されたものであって、前記プレ胴周り部分および／または前記股間部分の両側縁部が接合固定されてウエスト開口部が形成されているものであることを特徴とする請求項１から４いずれか記載のパンツ型おむつ。
【請求項７】
前記吸収体は、長手方向の両端縁部が幅方向に２分割され、該吸収体の非分割部が前記股間部の中央部に配置されるとともに、該吸収体の分割部が前身ごろ及び後身ごろの中央部で前記接合部を挟んだ両側に配置されていることを特徴とする請求項１又は２に記載のパンツ型おむつ。
【請求項８】
前記吸収体は、該吸収体の長手側縁に防漏襞が全長に亘って配設されたものであることを特徴とする請求項７に記載のパンツ型おむつ。
【請求項９】
前記弾性部材は、前記プレ胴周り部分の端縁に沿って伸長状態で配設されることを特徴とする請求項３に記載のパンツ型おむつ前駆体。
【請求項１０】
前記弾性部材は、前記プレ胴周り部分の略半円形状の外周縁に沿って伸長状態で配設されることを特徴とする請求項４に記載のパンツ型おむつ前駆体。
【発明の詳細な説明】
【０００１】
【発明の属する技術分野】
本発明はパンツ型おむつに関し、詳しくは、パンツ型おむつ前駆体の中央域に体液を吸収する吸収体を積層して折り畳み、このパンツ型おむつ前駆体の端縁を接合してパンツ型に成形したおむつに関する。
【０００２】
【従来の技術】
この種のおむつとしては、例えば図１３に示すようなものがある。同図はおむつを展開したシートを示している。このシートａは山型の切欠部ｂを左右の側縁に形成するとともに、前身ごろｃと後身ごろｄに跨って吸収体ｅを配置してある。そして、シートａを上下に折り畳み、その側縁部ｆを接合してウエスト開口とレッグ開口を形成している。
【０００３】
【発明が解決しようとする課題】
しかし、このおむつは、前身ごろｃと後身ごろｄの両端を接合してあるため、剛性のある接合ラインｆがウエスト開口からレッグ開口にかけて存在し、着用者の脚周りに違和感を生じることになる。また、おむつをはかせる際には、左右のウエスト開口付近を指で掴んでおむつを引き上げることが多いが、その際、剛性のある接合部ｆが邪魔になって、ウエスト開口を掴み難くなり、おむつを引き上げ難くなるという問題が生じる。また、おむつ全体が平面によって作られているため、排泄物を収納・保持する空間が形成されていないので、着用時に排泄物が着用者の人体に肌に付くという不都合があった。
【０００４】
このため、特許第２５７２７４４号公報にみられるように、おむつ中央の股区域において、表シート中に開口を設け、この開口の両側に隣接したおむつの縦方向（前後方向）に弾性部材を配置して、表シートに張力を与え、使用時に股区域で表シートが裏面シート及び吸収体から離れた構造にして、股区域に排泄物を溜めるという技術が提案されている。
【０００５】
しかしながら、上記の構造では、着用時に体圧がかかると、表シートが裏面シート及び吸収体から離れたポケット構造が維持されないため、尿等の体液を吸収するための表面積が減り、漏れが生じ易くなる。また、開口を有するため、製造コストが高くなる等の不都合があった。
【０００６】
本発明は、以上のような課題に鑑みてなされたものであり、その目的は脚周りの違和感を解消して、着用性に優れたパンツ型おむつを提供することにある。
【０００７】
【課題を解決するための手段】
上記のような課題を解決するために、本発明者らは、外装を構成する外面シートと、着用者に接する内面シートと、前記夫々のシートの一部を収縮させる弾性部材と、着用者の足が貫通する一対のレッグ開口と、を具備するパンツ型おむつ前駆体をこのおむつ前駆体の線対称軸を対称軸として折り畳み、その端縁を接合することにより、左右身ごろの胴周り部に接合部を有しないパンツ型おむつが得られることを見出し、本発明を完成するに至ったのである。
【０００８】
更に言えば、本発明に係るパンツ型おむつに関し、本発明はパンツ型おむつ前駆体に予め一対のレッグ開口を設け、この一対のレッグ開口の中間で折り畳んで、その端縁を接合するという発想がないところに提供されたものである。
【０００９】
より具体的には、本発明は、以下のようなものを提供する。
【００１０】
（１）  外装を構成する外面シートと、着用者に接する内面シートと、体液を吸収する吸収体と、夫々のシートの一部を収縮させる弾性部材と、着用者の足が貫通する一対のレッグ開口と、を具備するパンツ型おむつであって、前記吸収体は少なくとも前記一対のレッグ開口の間にその一部が存在するように配置され、且つ、前記パンツ型おむつの前身ごろ及び後身ごろにおいて、ウエスト開口から前記一対のレッグ開口間に向かって延びる接合部を備えていることを特徴とするパンツ型おむつを提供する。
【００１１】
本発明のパンツ型おむつによれば、接合部が前身ごろ及び後身ごろにおいて、ウエスト開口から股間部に至るように設けられている。このため、左右身ごろの胴周りにウエスト開口からレッグ開口に亘る接合部を有さないので、おむつをはかせる際に、ウエスト開口付近を指で掴んで容易におむつを引き上げることが可能となり、はかせ易いことになる。また、脚周りの違和感がないことになる。
【００１２】
尚、本発明において、前身ごろとは、パンツ型おむつを正面から見た際の腹面を意味し、後身ごろは前身ごろの反対の背面を意味する。
【００１３】
（２）  前記接合部は、前身ごろ及び後身ごろの略中央部において、前記パンツ型おむつの着用方向に伸びている連続した筋状のものであることを特徴とする（１）に記載のパンツ型おむつ。
【００１４】
本発明のパンツ型おむつによれば、接合部は前身ごろ及び後身ごろの略中央部において、パンツ型おむつの着用方向に伸びている連続した筋状のものとしている。
【００１５】
このため、接合部が前身ごろ及び後身ごろの中央部において、ウエスト開口から股間部に亘って有することになり、胴周りの両側部に接合部がないので、着用していても脚周りの違和感がない。また、左右身ごろの胴周りにウエスト開口からレッグ開口に亘る接合部を有さないので、おむつをはかせる際に、ウエスト開口付近を指で掴んで容易におむつを引き上げることが可能となり、はかせ易いことになる。
【００１６】
（３）  矩形状をしており、前身ごろ側及び後身ごろ側となるそれぞれの辺の略中央部が略Ｖ字状の凹となっている一枚布状のものからなるパンツ型おむつ前駆体であって、胴周り部分になるプレ胴周り部分と、レッグ開口部分になるプレレッグ開口部分と、股間部分になるプレ股間部分と、を備え、更に以下のようなものを備えるパンツ型おむつ前駆体を提供する。
▲１▼前記プレ胴周り部分は、上方の矩形状の部分及び下方の矩形状の部分として存在しており、該プレ胴周り部分には、弾性部材が伸長した状態で配設される。
▲２▼前記プレレッグ開口部分は、穴として存在しており、前記パンツ型前駆体の線対称軸を対称軸として、対称な位置に存在する。
▲３▼前記プレ股間部分は、前記プレ胴周り部分の中間に位置し、前身ごろ側及び後身ごろ側となる両側辺に略Ｖ字状の凹部を有する矩形状の部分として存在している。
【００１７】
本発明のパンツ型おむつ前駆体は、矩形状であって、その矩形の前身ごろ側及び後身ごろ側となるそれぞれの側辺（パンツ型おむつ前駆体の左側辺および右側辺）の略中央部が略Ｖ字状の凹となっている一枚布状のもので、胴周り部分になるプレ胴周り部分と、レッグ開口部分になるプレレッグ開口部分と、股間部分になるプレ股間部分と、を備え、更に、前記プレ胴周り部分は、上方の矩形状の部分及び下方の矩形状の部分として存在しており、プレ胴周り部分には、弾性部材が伸長した状態で配設されている。また、プレレッグ開口部分は、パンツ型前駆体の線対称軸を対称軸として、対称な位置に穴として形成されている。また、プレ股間部分は、前記プレ胴周り部分の中間に位置し、前身ごろ側及び後身ごろ側となる両側辺に略Ｖ字状の凹部を有する矩形状の部分として存在している。
【００１８】
このため、このパンツ型おむつ前駆体に吸収体をプレレッグ開口部分の中間部にその長手方向がパンツ型おむつ前駆体の線対称軸の方向に一致するように配設し、パンツ型おむつ前駆体をその前駆体の線対称軸を対称軸として上下に折り畳み、プレ胴周り部分の前身ごろ側及び後身ごろ側の側縁及びプレ股間部分の前身ごろ側及び後身ごろ側の側縁どうしを接合することにより、ウエスト開口が形成され、レッグ開口を有するパンツ型おむつが成形されることになる。また、一対のプレレッグ開口部分の中間部（おむつ前駆体の線対称軸の対称軸）で上下に折り畳んで、プレ胴周り部分及びプレ股間部部分の前身ごろ側及び後身ごろ側の側縁どうしを接合するので、接合部がパンツ型おむつの後身ごろ及び前身ごろに形成されることになる。
【００１９】
尚、本発明において、パンツ型おむつ前駆体とは、パンツ型おむつを成形する前の部材で、パンツ型おむつの接合部を剥がして展開した一枚布状のものを意味する。また、プレ胴周り部分とはパンツ型おむつ前駆体をおむつに成形した際に胴周りとなる部分を意味し、プレレッグ開口部分とはパンツ型おむつ前駆体をおむつに成形した際にレッグ開口となる部分を意味し、プレ股間部分とはパンツ型おむつ前駆体をおむつに成形した際に股間部となる部分を意味する。また、上下とは、パンツ型おむつ前駆体１の線対称軸の方向をＸ方向とし、このＸ方向に直交する方向をＹ方向とした場合のＹ方向を意味し、左右とは、そのＸ方向を意味する。また、プレレッグ開口部分の穴とは、パンツ型おむつ前駆体をパンツ型おむつに成形した際に、レッグ開口を形成するものであって、円形等の形状に開口されたものの他に単なる切れ目（スリット）も含む。
【００２０】
（４）  略楕円形状をしており、前身ごろ側及び後身ごろ側となるそれぞれ略中央部が略Ｖ字状の凹となっている一枚布状のものからなるパンツ型おむつ前駆体であって、胴周り部分になるプレ胴周り部分と、レッグ開口部分になるプレレッグ開口部分と、股間部分になるプレ股間部分と、を備え、更に以下のようなものを備えるパンツ型おむつを提供する。
▲１▼前記プレ胴周り部分は、上方の略半円形状の弧の部分と下方の略半円形状の弧の部分として存在しており、該プレ胴周り部分には、弾性部材が伸長した状態で配設される。
▲２▼前記プレレッグ開口部分は、穴として存在しており、前記パンツ型おむつ前駆体の線対称軸を対称軸として、対称な位置に存在する。
▲３▼前記プレ股間部分は、前記プレ胴周り部分の中間に位置し、前身ごろ側及び後身ごろ側となる両側辺に凹部を有する矩形状の部分として存在している。
【００２１】
本発明のパンツ型おむつ前駆体は、略楕円形状であって、前身ごろ側及び後身ごろ側となるそれぞれの略中央部が略Ｖ字状の凹となっている一枚布状のもので、胴周り部分になるプレ胴周り部分と、レッグ開口部分になるプレレッグ開口部分と、股間部分になるプレ股間部分と、を備え、更に、プレ胴周り部分は、上方の略半円形状の弧の部分と下方の略半円形状の弧の部分として存在しており、プレ胴周り部分には、弾性部材が伸長した状態で配設されている。また、プレレッグ開口部分は、パンツ型おむつ前駆体の線対称軸を対称軸として穴として形成されている。また、プレ股間部分は、前記プレ胴周り部分の中間に位置し、前身ごろ側及び後身ごろ側となる両側辺に略Ｖ字状の凹部を有する矩形状の部分として存在している。
【００２２】
このため、このパンツ型おむつ前駆体に吸収体をプレレッグ開口部分の中間部にその長手方向がパンツ型おむつ前駆体の線対称軸の方向に一致するように配設し、パンツ型おむつ前駆体をその前駆体の線対称軸を対称軸として上下に折り畳み、プレ股間部分の側縁どうしを接合することにより、ウエスト開口が形成され、レッグ開口を有するパンツ型おむつが成形されることになる。また、一対のプレレッグ開口部分の中間部（おむつ前駆体の線対称軸の対称軸）で上下に折り畳んで、プレ胴周り部分及びプレ股間部部分の前身ごろ側及び後身ごろ側の側縁どうしを接合するので、接合部がパンツ型おむつの後身ごろ及び前身ごろに形成されることになる。
【００２３】
（５）  前記パンツ型おむつは、前記プレ胴周り部分と前記プレ股間部分とを構成する一枚状の前記外面シートと、該外面シートの上面に張設された前記弾性部材と、該外面シート及び弾性部材に複合された該外面シートと略同大同形状の前記内面シートと、該内面シートの上面の略中央域に設けられた前記吸収体と、から構成されたものであって、前記プレ胴周り部分および／または前記股間部分の両側縁部が接合固定されてウエスト開口部が形成されているものであることを特徴とする（１）から（４）いずれか記載のパンツ型おむつを提供する。
【００２４】
本発明のパンツ型おむつは、前記プレ胴周り部分と前記プレ股間部分とを構成する一枚状の前記外面シートと、該外面シートの上面に張設された前記弾性部材と、該外面シート及び弾性部材に複合された該外面シートと略同大同形状の前記内面シートと、該内面シートの上面の略中央域に設けられた前記吸収体と、から構成されたものであって、前記プレ胴周り部分および／または前記股間部分の両側縁部が接合固定されてウエスト開口部が形成されてパンツ型おむつが成形される。
【００２５】
このため、このパンツ型おむつ前駆体を一対のプレレッグ開口部分の中間部（おむつ前駆体の線対称軸の対称軸）で上下に折り畳んで、プレ胴周り部分および／またはプレ股間部部分の両側端縁（前身ごろ側及び後身ごろ側の側縁）を接合するので、接合部がパンツ型おむつの後身ごろ及び前身ごろに形成されることになる。
【００２６】
（６）  前記パンツ型おむつは、前記プレ胴周り部分と前記プレ股間部分とを構成する一枚状の前記外面シートと、該外面シートの上面に張設された前記弾性部材と、該外面シートの上面の略中央域に設けられた前記吸収体と、該外面シートと略同大同形状で略中央域に開口部を有し、該開口部が該吸収体の外周縁を被覆するようにして該外面シート及び弾性部材に複合された前記内面シートと、から構成されたものであって、前記プレ胴周り部分および／または前記股間部分の両側縁部が接合固定されてウエスト開口部が形成されているものであることを特徴とする（１）から（４）いずれか記載のパンツ型おむつを提供する。
【００２７】
本発明のパンツ型おむつは、前記プレ胴周り部分と前記プレ股間部分とを構成する一枚状の前記外面シートと、該外面シートの上面に張設された前記弾性部材と、該外面シートの上面の略中央域に設けられた前記吸収体と、該外面シートと略同大同形状で略中央域に開口部を有し、該開口部が該吸収体の外周縁を被覆するようにして該外面シート及び弾性部材に複合された前記内面シートと、から構成されたものであって、前記プレ胴周り部分および／または前記股間部分の両側縁部が接合固定されてウエスト開口部が形成されてパンツ型おむつが成形される。
【００２８】
このため、このパンツ型おむつ前駆体を一対のプレレッグ開口部分の中間部（おむつ前駆体の線対称軸の対称軸）で上下に折り畳んで、プレ胴周り部分および／またはプレ股間部部分の両側端縁（前身ごろ側及び後身ごろ側の側縁）を接合するので、接合部がパンツ型おむつの後身ごろ及び前身ごろに形成されることになる。
【００２９】
（７）  前記吸収体は、長手方向の両端縁部が幅方向に２分割され、該吸収体の非分割部が前記股間部の中央部に配置されるとともに、該吸収体の分割部が前身ごろおよび後身ごろの中央部で前記接合部を挟んだ両側に配置されていることを特徴とする（１）又は（２）に記載のパンツ型おむつを提供する。
【００３０】
本発明のパンツ型おむつによれば、吸収体が長手方向の両端縁部が幅方向に２分割され、吸収体の非分割部がレッグ開口の中間部に配置され、吸収体の分割部が股間部から前身ごろ及び後身ごろの中央部で接合部を挟んだ両側に配置されている。
【００３１】
このため、前身ごろ及び後身ごろ中央部に接合部を有し、この接合部を挟んで吸収体の分割部が配設されているので、おむつ前駆体からパンツ型おむつを成形する際の接合によって吸収体が引っ張られて、前身ごろ及び後身ごろの股間部に吸収体による膨らみ部が形成される。後身ごろに形成された膨らみ部には大便等の排泄物が着用者の肌に触れないように収納・保持される。また、前身ごろに形成された膨らみ部には男性器が収められることになる。
【００３２】
（８）  前記吸収体は、該吸収体の長手側縁に防漏襞が全長に亘って配設されたものであることを特徴とする（７）に記載のパンツ型おむつを提供する。
【００３３】
本発明のパンツ型おむつによれば、吸収体は予め吸収体の長手側縁に防漏襞を全長に亘って配設されている。このため、おむつに配設された吸収体は、長手方向の中央部から全長に亘って防漏襞が形成されることになり、レッグ開口側の端縁から尿等の排泄物が漏れ出るのを更に防止することができる。
【００３４】
（９）  前記弾性部材は、前記プレ胴周り部分の端縁に沿って伸長状態で配設されることを特徴とする（３）に記載のパンツ型おむつ前駆体を提供する。
【００３５】
本発明のパンツ型おむつによれば、弾性部材はおむつ前駆体の前記プレ胴周り部分の端縁に沿って伸長状態で配設されている。このため、おむつ前駆体を折り畳んで、その側縁どうしを接合してウエスト開口が形成された際に、弾性部材が収縮して胴周り部を弾性化するので、着用時に着用者の肌にフィットすることになる。尚、この弾性部材はウエスト周り域と胴周り域とでは伸長度を違えることが好ましい。これにより、ウエスト周り域と胴周り域との締め付け度合が違ってくるので、着用者の体型に、よりフィットすることになる。
【００３６】
尚、本発明において、ウエスト周り域とは、身体の腰骨から上にフィットするおむつの部位を意味し、胴周り域とは、身体の腰骨から股間部フィットするおむつの部位を意味する。
【００３７】
（１０）  前記弾性部材は、前記プレ胴周り部分の略半円形状の外周縁に沿って伸長状態で配設されることを特徴とする（４）に記載のパンツ型おむつ前駆体を提供する。
【００３８】
本発明のパンツ型おむつによれば、弾性部材はおむつ前駆体のプレ胴周り部分の外周縁に沿って伸長状態で配設されている。このため、おむつ前駆体を折り畳んで、プレ股間部分の側縁どうしを接合してパンツ型おむつが成形された際に、弾性部材が収縮して胴周り部を弾性化するので、着用時に着用者の肌にフィットすることになる。尚、この弾性部材はウエスト周り域と胴周り域とでは伸長度を違えることが好ましい。これにより、ウエスト周り域と胴周り域との締め付け度合が違ってくるので、着用者の体型によりフィットすることになる。
【００３９】
【発明の実施の形態】
以下、本発明の実施の実施形態について、図に基づいて詳細に説明する。
【００４０】
図１は本発明に係る第１の実施形態のパンツ型おむつを展開した状態を示す一部破断展開平面図であり、図２は第１の実施形態のパンツ型おむつを正面から見た概略斜視図であり、図３は本発明に係る第１の実施形態のパンツ型おむつを背面から見た概略斜視図であり、図４は本発明に係る第１の実施形態のパンツ型おむつを側面から見た概略斜視図であり、図５は図１に示す第１の実施形態のパンツ型おむつにおいて、防漏襞を配置する場合の説明図であり、図６は図５を成形したパンツ型おむつの平面図であり、図７は本発明に係る第１の実施形態の変形例を示す一部破断展開平面図であり、図８は本発明に係る第２の実施形態のパンツ型おむつを展開した状態を示す一部破断展開平面図であり、図９は第２の実施形態のパンツ型おむつを示す図で、（ａ）は正面から見た概略斜視図、（ｂ）は背面から見た概略斜視図、（ｃ）は側面から見た概略斜視図あり、図１０は本発明に係る第２の実施形態のパンツ型おむつにおいて、防漏襞を配置する場合の説明図であり、図１１は図１１を成形したパンツ型おむつの平面図であり、図１２は本発明に係る第２の実施形態の変形例を示す一部破断展開平面図である。
【００４１】
［第１の実施形態］
図１は本発明に係る第１の実施形態のパンツ型おむつを展開して示している。
【００４２】
同図において、１はパンツ型おむつ前駆体で、外装を構成する外面シート２と着用者の肌に接触する内面シート３で構成され、外面シート２及び内面シート３は略矩形状の形状であって、その上方及び下方に位置する略矩形状のプレ胴周り部分４，４'と、これらプレ胴周り部分の中間に位置し、前身ごろ側及び後身ごろ側となるそれぞれの側辺に略Ｖ字状の凹部６が形成された帯状のプレ股間部分５とからなる。また、プレレッグ開口部分７がパンツ型おむつ前駆体１の線対称軸Ｘ―Ｘを対称軸として、対称な位置でプレ胴周り部分４，４'に略卵形状の穴として形成されている。尚、このプレレッグ開口部分７の形状は、略卵形状に限定されず、円形状、半円形状他であってもよいし、単なる切れ目（スリット）であってもよい。
【００４３】
８は吸収体で、液不透過性のバックシートと、液透過性のトップシートと、これらシート間に挟持された吸収性コアと、から構成され、その長手方向の両端縁部が幅方向に２分割されている。この吸収体８は非分割部８ａをプレ股間部分６の中央部に吸収体の長手方向を左右方向に向けて配置されるとともに、分割部８ｂのそれぞれをプレ股間部分６に形成された略Ｖ字形の凹部６の側縁５ａ，５ａに沿って配置される。
【００４４】
外面シート２の上面には内面シート３が複合され、内面シート３の上面には吸収体８が積層され内面シート３に接合されている。尚、外面シート２と内面シート３との間に、後述する吸収体を構成する耐水性のバックシートを配設した構成にしてもよい。これによって、吸収体に吸収された体液等の排泄物が誤って漏れ出しても、このバックシートによって外面シート２に滲み出るのを防止されることになる。また、プレ胴周り部分４の上縁部及びプレ胴周り部分４'の下端部に沿って左右方向に弾性部材９が外面シート２の上面に伸長状態で配置されている。この弾性部材９は、パンツ形おむつが成形された際、収縮して胴周り部分を弾性化する効果を奏する。尚、プレ胴周り部分４，４'に配設される弾性部材９はウエスト周り域と胴周り域とで伸長度や応力を違えることが好ましい。これによって、ウエスト周り域と胴周り域との締め付け度合が違ってくるので、着用者の体型によりフィットすることになる。
【００４５】
尚、本明細書において、左右方向とは、パンツ型おむつ前駆体１の線対称軸の方向をＸ方向とし、このＸ方向に直交する方向をＹ方向とした場合のＸ方向を意味する。また、上下方向とは、パンツ型おむつ前駆体１の線対称軸の方向をＸ方向とし、このＸ方向に直交する方向をＹ方向とした場合のＹ方向を意味する。
【００４６】
前記パンツ型おむつ前駆体１からパンツ型おむつを成形する場合、パンツ型おむつ前駆体１の内面シート３の上面に吸収体８の非分割部８ａがプレ股間部分の中央部に配置されると共に、分割部８ｂがそれぞれプレ股間部分の中央部に形成された略Ｖ字状の凹部６の側縁５ａ，５ａに沿って配置されて内面シート３に接合される。そして、プレ股間部分６を対称軸Ｘ−Ｘで上下に折り畳んで、プレ胴周り部分４,４'を重ね合わせ、プレ胴周り部分の側縁４ａ，４ａ'どうし及びプレ股間部分の下縁５ａどうしを接合してウエスト開口１４を形成する。この接合法としては熱や超音波等により融着するか、ホットメルト接着剤等の粘着剤で接着する等が挙げられる。
【００４７】
図２及び図３はこのようにして成形されたパンツ型おむつを示している。おむつ１０には、前身ごろ及び後身ごろの中央部をウエスト開口１４から股間部１３に亘って直線状に縦方向に延びて、ウエスト開口１４から股間部１３に至る接合部１１，１１'が形成されている。
【００４８】
この接合部１１，１１'は、詳しくは図４に示すように、前身ごろ及び後身ごろにおいて、ウエスト開口１４から股間部１３の一部まで達している。また、吸収体８は股間部１３を経由して前身ごろと後身ごろに跨るように配置されている。この吸収体８は図２及び図３に示すように、股間部の中央域には非分割部８ａが配置され、前身ごろの胴周り部１２から股間部１３にかけ、また、後身ごろの胴周り部１２から股間部１３にかけて接合部１０を挟んでその左右両側に分割部８ｂが配置されている。このように吸収体８が分割され、かつ股間部１３が湾曲形成されているため、前身ごろ及び後身ごろの股間部（図４の点線枠Ａ内）では、外面シート２及び内面シート３が吸収体８によって押し出され、この部分に膨らみ部１６，１６が生じている。
【００４９】
このパンツ型おむつ１０は、剛性のある接合部１１，１１'がレッグ開口１５を避けて、前身ごろ及び後身ごろの中央を直線状に縦方向に延びているので、脚周りに違和感を生じさせたりすることがない。
【００５０】
また、接合部１１，１１'が胴周り部１２の両側部から離れた前身ごろ及び後身ごろの中央部にあるので、おむつ着用の際、接合部１１，１１'が邪魔になることはなく、おむつ１０を引き上げ易くなる。また、その際、接合部１１，１１'が着用者の身体に引っ掛かることもない。
【００５１】
更に、前身ごろ及び後身ごろの股間部に膨らみ部１６，１６が生じて、吸収体８と着用者の肌との間に空間が形成されるため、男性器あるいは大便等の排泄物をこの空間に収容されるので、着用者の肌への付着を減少させることができる。また、股間部１３の吸収体８は尿等の体液を吸収し易い平面になっている。
【００５２】
また、予め、吸収体８の長手両側縁に防漏襞１７を吸収体の長手方向に配設しておいてもよい。この吸収体８の両側縁に沿って取り付けると、防漏襞１７が図５に示すように吸収体８とおむつ前駆体１のプレ股間部分４，４'の境界に沿って配置されることになる。これをパンツ型おむつ１０に成形された場合は、防漏襞１７の先端がそれぞれの接合部１１，１１'側で閉じられて、平面的に見ると、図６に示すような略楕円型になる。なお、防漏襞１７は疎水性の不織布等からなるものであって、その先端には弾性部材９が伸長状態で配置さており、パンツ型おむつ１０に成形された際、防漏襞１７が立ち上がることになる。この防漏襞１７を設けることにより、尿等の体液が吸収体８から漏れ出るのをより防止できるという効果を奏する。
【００５３】
このパンツ型おむつを構成する部材である外面シート２及び内面シート３は通気性の不織布が好ましく、より好ましくは、疎水性の不織布が好ましい。例えば、ポリプロピレン製等のスパンボンド不織布、ポリエチレン、ポリプロピレン、ポリエチレンテレフタレート等の繊維より構成されるスルーエアー不織布、スパンレース不織布等が挙げられる。また、エラストマーやコポリマーを含んだ伸縮性や伸張性を有する不織布や伸縮性フィルムとの複合シートを用いてもよい。更に、外面シートと内面シートとの間に不透液性のプラスチックフィルムを挿入してもよい。
【００５４】
また、吸収体８は、液不透過性バックシートと液透過性トップシートの間に、矩形もしくはひょうたん型の吸収性コアが、その長手方向の中央部から一端縁にかけて幅方向に２分割された形で挟持された構成である。液不透過性バックシートは、撥水処理された不織布や、微細孔を有する透湿性プラスチックフィルム、あるいはこれらの積層体であり、液透過性トップシートには不織布が通常用いられる。吸収性コアは、解繊パルプと、吸水性ポリマーを併用したものが好ましく、そのほか、セルロース繊維、熱可塑性樹脂、高分子吸水性ポリマー、熱融着性繊維等が混合され熱処理されたものが好ましい。尚、いくつかの層が積層された形の吸収体にあっては、高分子ポリマーの存在位置は、その上層、中層、下層のいずれであってもよく、パルプと均一に混合させてあってもよい。高分子吸水ポリマーは、自重の２０倍以上の液体を吸収して保持し得る性能を有し、ゲル化する性質を有するものが好ましく、このような高分子吸水ポリマーとしては、デンプン−アクリル酸（塩）グラフト共重合体、デンプン−アクリロニトリル共重合体のケン化物、ナトリウムカルボキシメチルセルロースの架橋物、アクリル酸（塩）重合体などが好ましい。
【００５５】
また、弾性部材９としては、天然または合成ゴム製やポリウレタン製の糸状ゴム，平ゴム，リボン状の弾性体、熱収縮性素材、吸水収縮性繊維など、それぞれ伸縮自在の弾性を有するものであれば特に制限されない。
【００５６】
ところで、図７は第１の実施形態の変形例を示すものであって、図７に示すように、パンツ型おむつ前駆体は、略矩形状の形状であって、その上方及び下方に位置する略矩形状のプレ胴周り部分４，４'と、これらプレ胴周り部分の中間に位置し、前身ごろ側及び後身ごろ側となるそれぞれの側辺に略Ｖ字状の凹部６が形成された略帯状のプレ股間部分５とからなる外面シート２と、外面シート２と略同大同形状のであって、その中央部（プレ股間部分の中央部）に吸収体８と略同サイズないしは多少小さいサイズの開口部１８が形成された内面シート３と、からなり、外面シート２の上面に内面シート３が複合された構成であってもよい。そして、外面シート２の上面にはプレ胴周り部分４の上縁部、及びプレ胴周り部分４'の下端部に沿って左右方向に弾性部材９が伸長状態で配置されている。プレ胴周り部分４，４'に配設される弾性部材９はウエスト周り域と胴周り域とで伸長度や太さを違えることが好ましい。これによって、ウエスト周り域と胴周り域との締め付け度合が違ってくるので、着用者の体型によりフィットすることになる。また、プレレッグ開口部分７がパンツ型おむつ前駆体１の線対称軸Ｘ―Ｘを対称軸として、対称な位置でプレ胴周り部分４，４'に略卵形状の穴として形成されている。尚、このプレレッグ開口部分７の形状は、前述のように略卵形状に限定されず、円形状、半円形状他であってもよいし、単なる切れ目（スリット）であってもよい。
【００５７】
このパンツ型おむつ前駆体１からパンツ型おむつを成形する場合は、パンツ型おむつ前駆体１の外面シート２と内面シート３との間に、吸収体８の非分割部８ａがプレ股間部分の中央部で、内面シート３の開口部１８の位置するように配置されると共に、分割部８ｂがそれぞれプレ股間部分の中央部に形成された略Ｖ字状の凹部６の側縁５ａ，５ａに沿って配置され、外面シート２及び内面シート３に接合され、プレ股間部分６を対称軸Ｘ−Ｘで上下に折り畳んで、プレ胴周り部分４,４'を重ね合わせ、プレ胴周り部分の側縁４ａ，４ａ'どうし及びプレ股間部分の側縁５ａどうしを接合してウエスト開口１４を形成する。この接合法としては熱や超音波等により融着するか、ホットメルト接着剤等の粘着剤で接着する等が挙げられる。
【００５８】
このようにして、成形されたいずれの変形例のパンツ型おむつ１０は、前述の第１の実施形態のように前身ごろ及び後身ごろの中央部をウエスト開口１０から股間部１３に亘って直線状に縦方向に延びて、ウエスト開口１４から股間部１３に至る接合部１１，１１'が形成されている（図２参照）。
【００５９】
この接合部１１，１１'は、上記の第１の実施形態と同様に前身ごろ及び後身ごろにおいて、ウエスト開口１４から股間部１３の一部まで達している。また、吸収体８は股間部１３を経由して前身ごろと後身ごろに跨るように配置されている。この吸収体８は、股間部の中央域には非分割部８ａが配置され、前身ごろの胴周り部１２から股間部１３にかけ、また、後身ごろの胴周り部１２から股間部１３にかけて接合部１１を挟んでその左右両側に分割部８ｂが配置されている。このように吸収体８が分割され、かつ股間部１３が湾曲形成されているため、前身ごろ及び後身ごろの股間部では、外面シート２及び内面シート３が吸収体８によって押し出され、この部分に膨らみ部が生じることになる（図４参照）。
【００６０】
このパンツ型おむつ１０は、剛性のある接合部１１，１１'がレッグ開口１５を避けて、前身ごろ及び後身ごろの中央を直線状に縦方向に延びているので、脚繰りに違和感を生じさせたりすることがない。
【００６１】
更に、前身ごろ及び後身ごろの股間部に膨らみ部が生じて、吸収体８と着用者の肌との間に空間が形成されるため、男性器あるいは大便等の排泄物をこの空間に収容されるので、着用者の肌への付着を減少させることができる。また、股間部１３の吸収体８は尿等の体液を吸収し易い平面になっている。
【００６２】
また、図示していないが、上記の変形例においても、第１の実施形態のように、予め、吸収体８の長手両側縁に防漏襞を吸収体の長手方向に配設しておいてもよい。この防漏襞を設けることにより、尿等の体液が吸収体８から漏れ出るのをより防止できるという効果を奏する（図５、図６参照）。
【００６３】
［第２の実施形態］
図８は本発明に係る第２の実施形態のパンツ型おむつを展開して示している。なお、以下の実施形態では第１の実施形態と同一の構成要素には同一符号を付し説明を省略する。
【００６４】
２０はパンツ型おむつ前駆体で、外装を構成する外面シート２と着用者の肌に接触する内面シート３で構成され、外面シート及び内面シート３は略楕円形状の外形を有し、前身ごろ側及び後身ごろ側となるそれぞれの略中央部が略Ｖ字状の凹部となっている一枚布状のものであって、その上方及び下方に位置する略半円形状のプレ胴周り部分４，４'と、これらプレ胴周り部分４，４'との間に位置し、前身ごろ側及び後身ごろ側となるそれぞれの両側辺に略Ｖ字状の凹部６が形成された略帯状のプレ股間部分５とからなる。また、プレレッグ開口部分７がパンツ型おむつ前駆体１の線対称軸Ｘ―Ｘを対称軸として、対称な位置でプレ股間部分５からプレ胴周り部分４に跨って略卵型状の穴として形成されている。尚、このプレレッグ開口部分７の形状は、略卵形状に限定されず、円形状、半円形状他であってもよいし、単なる切れ目（スリット）であってもよい。
【００６５】
吸収体は、液不透過性のバックシートと、液透過性のトップシートと、これらシート間に挟持された吸収性コアと、から構成され、その長手方向の両端縁部が幅方向に２分割されている。この吸収体８は非分割部８ａをプレ股間部分６の中央部に吸収体の長手方向を左右方向に向けて配置されるとともに、分割部８ｂのそれぞれをプレ股間部分６に形成された略Ｖ字形の凹部６の側縁５ａ，５ａに沿って配置される。
【００６６】
外面シート２の上面には内面シート３が複合され、内面シート３の上面には吸収体８が積層され内面シート３に接合されている。尚、外面シート２と内面シート３との間に、吸収体を構成する耐水性のバックシートを配設した構成にしてもよい。これによって、吸収体に吸収された体液等の排泄物が誤って漏れ出しても、このバックシートによって外面シート２に滲み出るのを防止されることになる。また、プレ胴周り部分４、４'の外周縁部に沿って弾性部材９が外面シート２の上面に伸長状態で配置されている。この弾性部材９は、パンツ形おむつが成形された際、収縮して胴周り部分を弾性化する効果を奏する。尚、プレ胴周り部分４，４'に配設される弾性部材９はウエスト周り域と胴周り域とで伸長度や太さを違えることが好ましい。これによって、ウエスト周り域と胴周り域との締め付け度合が違ってくるので、着用者の体型によりフィットすることになる
【００６７】
このパンツ型おむつ前駆体２０からパンツ型おむつを成形する場合、パンツ型おむつ前駆体１の内面シート３の上面に吸収体８の非分割部８ａがプレ股間部分の中央部に配置されると共に、分割部８ｂがそれぞれプレ股間部分の中央部に形成された略Ｖ字状の凹部６の側縁５ａに沿って配置、接合され、パンツ型おむつ前駆体１を対称軸Ｘ−Ｘで上下に折り畳んで、プレ胴周り部分４,４'を重ね合わせ、プレ股間部分の下縁５ａどうしを接合してウエスト開口１４を形成する。この接合法としては熱や超音波等により融着するか、ホットメルト接着剤等の粘着剤で接着する等が挙げられる。
【００６８】
図９はこのようにして成形されたパンツ型おむつ１０を示している。パンツ型おむつ１０は、図９（ａ）に示すように胴周り部１２が股間部１３にむかって、やや窄んだ形状になっている。そして、接合部１１，１１'が前身ごろ及び後身ごろの胴周り部１２にウエスト開口１４から股間部１３にかけて形成されている。また、吸収体８は股間部１３を経由して前身ごろと後身ごろに跨るように配置されている。そして、前身ごろ及び後身ごろの胴周り部１２には接合部１１，１１'を挟んで左右位置に吸収体８の分割部８ｂが配置され、股間部１３の中央部には吸収体８の非分割部８ａが配設されている。このように吸収体８が分割され、かつ股間部１３が接合により湾曲形成されているため、第１の実施形態で説明したように、前身ごろ及び後身ごろの股間部（図９（ｃ）の点線枠Ａ内）では、外面シート及び内面シートが吸収体８によって押し出され、この部分に膨らみ部１６，１６を生じている。
【００６９】
また、予め、吸収体８の長手両側縁に防漏襞１７を吸収体８の長手方向に配設しておいてもよい。この吸収体８の両側縁に沿って取り付けると、防漏襞１７が図１０に示すように吸収体８とおむつ前駆体１のプレ股間部分４の境界に沿って配置されることになる。これをパンツ型おむつ１０に成形された場合は、防漏襞１７の先端が接合部１１，１１'側で閉じられて、平面的に見ると、図１１に示すような略楕円型になる。なお、防漏襞１７は疎水性の不織布等からなるものであって、その先端には弾性部材９が伸長状態で配置さており、パンツ型おむつ１０に成形された際、防漏襞１７が立ち上がることになる。この防漏襞１７を設けることにより、尿等の体液が吸収体８から漏れ出るのをより防止できるという効果を奏する。
【００７０】
本実施形態のパンツ型おむつは前述の如く構成されているため、着用者の脚周りに違和感を生じさせることがないとともに、接合部がウエスト開口の両端から離れた箇所に配置されるので、おむつをはかせる際に、ウエスト開口付近を指で掴んで容易におむつを引き上げることが可能となり、はかせ易いことになる。また、接合部の股間部に吸収体の膨らみ部が生じて、吸収体と着用者の肌との間に空間が形成されるので、大便等の排泄物をこの空間に収容でき、着用者の肌への付着を減少させることができる。
【００７１】
ところで、図１２は本発明に係る第２の実施形態の変形例を示すものであって、パンツ型おむつ前駆体２０は、略楕円形状の外形を有し、前身ごろ側及び後身ごろ側となるそれぞれの略中央部が略Ｖ字状の凹部となっている一枚布状のものであって、その上方及び下方に位置する略半円形状のプレ胴周り部分４，４'と、これらプレ胴周り部分４，４'との間に位置し、前身ごろ側及び後身ごろ側となるそれぞれの両側辺に略Ｖ字状の凹部６が形成された略帯状のプレ股間部分５とからなる外面シート２と、外面シート２と略同大同形状であって、その中央部（プレ股間部の中央部）に吸収体８と略同サイズないしは多少小さなサイズの開口部１８が形成された内面シート３と、からなり、外面シート２の上面には内面シート３が複合された構成であってもよい。また、外面シート２の上面にはプレ胴周り部分４、４'の外周縁に沿って弾性部材９が伸長状態で配置されている。プレ胴周り部分４、４'に配設される弾性部材９はウエスト周り域と胴周り域とで伸張度や太さを違えることが好ましい。これによって、ウエスト周り域と胴周り域との締め付け度合が違ってくるので、着用者の体型によりフィットすることになる。また、プレレッグ開口部分７がパンツ型おむつ前駆体１の線対称軸Ｘ―Ｘを対称軸として、対称な位置でプレ胴周り部分４、４'に略卵形状の穴として形成されている。尚、このプレレッグ開口部分７の形状は、前述のように略卵形状に限定されず、円形状、半円形状他であってもよいし、単なる切れ目（スリット）であってもよい。
【００７２】
そして、このパンツ型おむつ前駆体２０からパンツ型おむつを成形する場合は、パンツ型おむつ前駆体１の外面シート２と内面シート３との間に、吸収体８の非分割部８ａがプレ股間部分の中央部で内面シート３の開口部１８に位置するように配置されると共に、分割部８ｂがそれぞれプレ股間部分の中央部に形成された略Ｖ字状の凹部６の側縁５ａ，５ａに沿って配置され、外面シート２及び内面シート３に接合され、プレ股間部分６を対称軸Ｘ−Ｘで上下に折り畳んで、プレ胴周り部分４,４'を重ね合わせ、プレ股間部分の側縁５ａどうしを接合してウエスト開口１４を形成する。この接合法としては熱や超音波等により融着するか、ホットメルト接着剤等の粘着剤で接着する等が挙げられる。
【００７３】
このようにして、成形されたいずれの変形例のパンツ型おむつ１０は、前述の第２の実施形態のように前身ごろ及び後身ごろの中央部をウエスト開口１０から股間部１３に亘って直線状に縦方向に延びて、ウエスト開口１４から股間部１３に至る接合部１１，１１'が形成されている（図９参照）。
【００７４】
このようにして成形されたパンツ型おむつ１０は、第２の実施形態で説明したように、胴周り部１２が股間部１３にむかって、やや窄んだ形状になっている。そして、接合部１１，１１'が前身ごろ及び後身ごろの胴周り部１２にウエスト開口１４から股間部１３にかけて形成されている。また、吸収体８は股間部１２を経由して前身ごろと後身ごろに跨るように配置されている。そして、前身ごろ及び後身ごろの胴周り部１２には接合部１１，１１'を挟んで左右位置に吸収体８の分割部８ｂが配置され、股間部１３の中央部には吸収体８の非分割部８ａが配設されている。このように吸収体８が分割され、かつ股間部１３が接合により湾曲形成されているため、第２の実施形態で説明したように、前身ごろ及び後身ごろの股間部では、外面シート及び内面シートが吸収体８によって押し出され、この部分に膨らみ部を生じている（図９(Ｃ)参照）。
【００７５】
また、図示していないが、上記の変形例においても、第２の実施形態のように、予め、吸収体８の長手両側縁に防漏襞１７を吸収体８の長手方向に配設しておいてもよい。この防漏襞１７を設けることにより、尿等の体液が吸収体８から漏れ出るのをより防止できるという効果を奏する（図１０、図１１参照）。
【００７６】
本実施形態のパンツ型おむつは前述の如く構成されているため、着用者の脚周りに違和感を生じさせることがないとともに、左右身ごろの胴周りにウエスト開口からレッグ開口に亘る接合部を有さないので、おむつをはかせる際に、ウエスト開口付近を指で掴んで容易におむつを引き上げることが可能となり、はかせ易いことになる。また、接合部の股間部に吸収体の膨らみ部が生じて、吸収体と着用者の肌との間に空間が形成されるので、大便等の排泄物をこの空間に収容でき、着用者の肌への付着を減少させることができる。
【００７７】
【発明の効果】
以上説明したように、本発明のパンツ型おむつは、接合部は前身ごろ及び後身ごろの中央部において、パンツ型おむつの着用方向に伸びている連続した筋状のものとしている。このため、接合部が胴周りの両側部即ちウエスト開口からレッグ開口に亘って形成されていないので、着用者の脚周りに違和感を生じさせることがないと共に、左右身ごろの胴周りにウエスト開口からレッグ開口に亘る接合部を有さないので、おむつをはかせる際に、ウエスト開口付近を指で掴んで容易におむつを引き上げることが可能となり、はかせ易いことになる。
【００７８】
また、前身ごろ及び後身ごろの中央部でパンツ型おむつ前駆体の端縁を接合しており、接合部に吸収体の一部を２つに分割した分割部が配設されているので、この部位に吸収体による膨らみ部が形成される。この後身ごろの膨らみ部によって、大便等の排泄物が着用者の人体に触れないように収納・保持される。また、前身ごろの膨らみ部には男性器が収められることになる。
【図面の簡単な説明】
【図１】  本発明に係る第１の実施形態のパンツ型おむつを展開した状態を示す展開平面図である。
【図２】  本発明に係る第１の実施形態のパンツ型おむつを正面から見た概略斜視図である。
【図３】  本発明に係る第１の実施形態のパンツ型おむつを背面から見た概略斜視図である。
【図４】  本発明に係る第１の実施形態のパンツ型おむつを側面から見た概略斜視図である。
【図５】  図１に示す第１の実施形態のパンツ型おむつにおいて、防漏襞を配置する場合の説明図である。
【図６】  図５を成形したパンツ型おむつの平面図である。
【図７】  本発明に係る第１の実施形態の変形例を示す展開平面図である。
【図８】  第２の実施形態のパンツ型おむつを展開した状態を示す展開平面図である。
【図９】  本発明に係る第２の実施形態のパンツ型おむつを示す図で、（ａ）は正面から見た概略斜視図、（ｂ）は背面から見た概略斜視図、（ｃ）は側面から見た概略斜視図である。
【図１０】  本発明に係る第２の実施形態のパンツ型おむつにおいて、防漏襞を配置する場合の説明図である。
【図１１】  図１０を成形したパンツ型おむつの平面図である。
【図１２】  本発明に係る第２の実施形態の変形例を示す展開平面図である。
【図１３】  従来のパンツ型おむつの展開平面図である。
【符号の説明】
１  パンツ型おむつ前駆体
２  外面シート
３  内面シート
４，４'  プレ胴周り部分
５  プレ股間部分
６  凹部
７  プレレッグ開口部分
８  吸収体
８ａ  非分割部
８ｂ  分割部
９  弾性部材
１０  パンツ型おむつ
１１，１１'  接合部
１２  胴周り部
１３  股間部
１４  ウエスト開口
１５  レッグ開口
１６  膨らみ部
１７  防漏襞
１８  開口部
２０  パンツ型おむつ前駆体
【図１】
0004116820.tif 000002
【図２】
0004116820.tif 000003
【図３】
0004116820.tif 000004
【図４】
0004116820.tif 000005
【図５】
0004116820.tif 000006
【図６】
0004116820.tif 000007
【図７】
0004116820.tif 000008
【図８】
0004116820.tif 000009
【図９】
0004116820.tif 000010
【図１０】
0004116820.tif 000011
【図１１】
0004116820.tif 000012
【図１２】
0004116820.tif 000013
【図１３】
0004116820.tif 000014